(57)【要約】【課題】扉体を構成する裏板と骨材の構成に特徴を持たせることで、デザイン性及び遮音性能に優れる防音扉を提供する。【解決手段】室内側表面材８と、薄板から形成された室外側表面材７と、室外側表面材の内側面の略全域に、互いに間隔を存して装着された複数の裏板１４と、室内側見付面１５０．１６０と室外側見付面１５２，１６２とを有し、室内側表面材８と裏板１４との間に設けた複数の骨材１５，１６と、室外側表面材７と室内側表面材８との間の空隙に充填された吸音材１８とを有する。骨材１５，１６は、室内側見付面１５０，１６０が室内側表面材８に、室外側見付面１５２，１６２が裏板１４に、それぞれ緩衝材１７を介して接合されており、少なくとも一部の骨材１６は、室外側見付面１６２によって隣位の裏板１４の近接する端部間に跨設されている。【選択図】図３
2006097264.tif 000002
【特許請求の範囲】
【請求項１】
厚板から形成された厚板表面材と、
薄板から形成された薄板表面材と、
該薄板表面材の内側面の略全域に、互いに間隔を存して装着された複数の裏板と、
室内側見付面と室外側見付面とを有し、該厚板表面材と該裏板との間に設けた複数の骨材と、
該厚板表面材と該薄板表面材との間の空隙に充填された吸音材とを有し、
該骨材は、一方の見付面が該厚板表面材に、他方の見付面が該裏板に、それぞれ緩衝材を介して接合されており、少なくとも一部の骨材は、該他方の見付面によって隣位の裏板の近接する端部間に跨設されている防音扉。
【請求項２】
薄板から形成された室内側表面材と、
薄板から形成された室外側表面材と、
該室内側表面材の内側面の略全域に、互いに間隔を存して装着された複数の室内側裏板と、
該室外側表面材の内側面の略全域に、互いに間隔を存して装着された複数の室外側裏板と、
室内側見付面と室外側見付面とを有し、該室内側裏板と該室外側裏板との間に設けた複数の骨材と、
該室外側表面材と該室内側表面材との間の空隙に充填された吸音材とを有し、
該骨材は、該室内側見付面が該室内側裏板に、該室外側見付面が該室外側裏板に、それぞれ緩衝材を介して接合されており、少なくとも一部の骨材は、該室外側見付面及び該室内側見付面によって隣位の室外側裏板の近接する端部間及び隣位の室内側裏板の近接する端部間に跨設されている防音扉。
【請求項３】
前記隣位の裏板の近接する端部間に跨設される骨材は、該室内側見付面と該室外側見付面とを連結する左右の見込面を有し、左右の見込面間の空隙には吸音材が充填されている請求項１，２いずれかに記載の防音扉。
【発明の詳細な説明】
【技術分野】
【０００１】
本発明は、防音扉に関するものである。
【背景技術】
【０００２】
従来のマンションドアは、室外側の面部のデザイン性等の理由から室外側表面材を板厚の薄い板材から構成しており、充填材を工夫したとしても高いレベル（T-4等級）の遮音性能を得ることができなかった。
【０００３】
一方、高い遮音性能が要求される場合には、重量扉で対応しているが、重量扉の表面材の板厚が厚いため、通常の化粧鋼板を採用することができず、デザイン性に乏しいものとなってしまう。
【０００４】
表面材に薄板を採用するものでありながら、遮音性能を有するドアについては、特許文献１，２に記載されている。しかしながら、これらのものは、薄板の表面材には骨部材あるいは補強部材が接合されているが、骨部材あるいは補強部材は薄板の全面に接合されてはおらず、扉体の面部には、薄板の表面材のみから構成されている部位が存在し、遮音性能が低減してしまう惧れがある。
【特許文献１】実用新案登録第３００３７１０号
【特許文献２】特許第３１１１０６０号
【発明の開示】
【発明が解決しようとする課題】
【０００５】
本発明は、扉体を構成する裏板と骨材の構成に特徴を持たせることで、デザイン性及び遮音性能に優れる防音扉を提供することを目的とするものである。
【課題を解決するための手段】
【０００６】
本発明が採用した第１の技術手段は、厚板から形成された厚板表面材と、薄板から形成された薄板表面材と、該薄板表面材の内側面の略全域に、互いに間隔を存して装着された複数の裏板と、室内側見付面と室外側見付面とを有し、該厚板表面材と該裏板との間に設けた複数の骨材と、該厚板表面材と該薄板表面材との間の空隙に充填された吸音材とを有し、該骨材は、一方の見付面が該厚板表面材に、他方の見付面が該裏板に、それぞれ緩衝材を介して接合されており、少なくとも一部の骨材は、該他方の見付面によって隣位の裏板の近接する端部間に跨設されている防音扉である。好ましい態様では、厚板表面材は室内側表面材、薄板表面材は室外側表面材であり、室内側表面材と、薄板から形成された室外側表面材と、該室外側表面材の内側面の略全域に、互いに間隔を存して装着された複数の裏板と、室内側見付面と室外側見付面とを有し、該室内側表面材と該裏板との間に設けた複数の骨材と、該室外側表面材と該室内側表面材との間の空隙に充填された吸音材とを有し、該骨材は、該室内側見付面が該室内側表面材に、該室外側見付面が該裏板に、それぞれ緩衝材を介して接合されており、少なくとも一部の骨材は、該室外側見付面によって隣位の裏板の近接する端部間に跨設されている防音扉である。
【０００７】
本発明が採用した第２の技術手段は、薄板から形成された室内側表面材と、薄板から形成された室外側表面材と、該室内側表面材の内側面の略全域に、互いに間隔を存して装着された複数の室内側裏板と、該室外側表面材の内側面の略全域に、互いに間隔を存して装着された複数の室外側裏板と、室内側見付面と室外側見付面とを有し、該室内側裏板と該室外側裏板との間に設けた複数の骨材と、該室外側表面材と該室内側表面材との間の空隙に充填された吸音材とを有し、該骨材は、該室内側見付面が該室内側裏板に、該室外側見付面が該室外側裏板に、それぞれ緩衝材を介して接合されており、少なくとも一部の骨材は、該室外側見付面及び該室内側見付面によって隣位の室外側裏板の近接する端部間及び隣位の室内側裏板の近接する端部間に跨設されている防音扉である。
【０００８】
一つの好ましい態様では、前記隣位の裏板の近接する端部間に跨設される骨材は、該室内側見付面と該室外側見付面とを連結する左右の見込面を有し、左右の見込面間の空隙には吸音材が充填されている。
【発明の効果】
【０００９】
本発明に係る扉体は、少なくとも一方の表面材に薄板を採用するものでありながら、複数の裏板を設けること、及び、隣位の裏板の近接する端部間の間隙（裏板が付いておらず薄板のみの部位）を骨材が被うこと、さらに、隣位の裏板の近接する端部間の間隙（裏板が付いておらず薄板のみの部位）と室内側表面材との間の空隙に吸音材を充填することで、高い遮音性能を得ることができる。
【発明を実施するための最良の形態】
【００１０】
本発明に係る扉体は、正面視長方形状で所定の見込寸法（厚み）を有するパネル体であり、室外側面部１、室内側面部２、戸先側側面部３、戸尻側側面部４、上面部５、下面部６を有する。扉体の室外側面部１、室内側面部２はそれぞれ板状の表面材７，８から構成されている。実施例では、表面材７，８は、ポリエステル系樹脂被覆金属板である。表面材７，８間には枠材９，１０，１１，１２が四周状に設けてあり、表面材７，８の周縁部を折り返して枠材９，１０，１１，１２に装着してある。扉体の戸尻側側面部４には、室外側に位置して丁番１３が設けてある。尚、丁番１３に代えてピボットヒンジを採用してもよい。
【００１１】
室外側の表面材７は、薄肉の板厚を有する薄板である。本明細書において、「薄肉」、「薄板」とは、扉体の表面材に採用した時に、それ単独では十分な防音性能が得られない程度の厚さであることを意味する。図２、図３において、室内側の表面材８は室外側の表面材７よりも板厚が肉厚の厚板から形成されており、扉体の表面材に採用した時に、表面材８単独で防音性能が得られるような板厚を有している。本明細書において、「厚板」とは、「薄板」より板厚が厚く、扉体の表面材に採用した時に、それ単独である程度の防音性能が得られる程度の厚さであることを意味する。
図示の実施例では、室外側の表面材７の厚みは０．６ｍｍであり、室内側の表面材８の厚みは１．２ｍｍである。室外側の表面材７を薄肉の薄板から構成することで、室外側面部１を構成する表面材７に、化粧鋼板としてデザインの選択が豊富な薄板を採用することができる。
【００１２】
室外側の表面材７の内側面には、複数枚の裏板１４が互いに所定間隔を存して貼着されている。１枚の裏板を設けた場合には裏板全体が振動して音が伝搬され易くなるが、裏板を分割することで、裏板の振動を分割された裏板毎の小領域として遮音性能を向上させている。また、扉体の製造時において、大型の一枚の裏板を用いるのに比べて、小型の裏板を用いた方が作業性が良い。各裏板１４は、表面材７と略同じ高さ寸法を有する幅狭の縦長板材であり、幅方向両端部を見込方向に折曲して端部処理することで、見付面１４０と見込片１４１とから構成されている。尚、見込片１４１は必須構成要素ではない。実施例のものでは、裏板１４の厚さは表面材８の厚さよりも大きい寸法を有し、１．６ｍｍの板厚を有している。複数の裏板１４は、表面材７の幅方向に互いに間隔を存して配設されている。実施例のものでは、戸先側裏板、中間裏板、戸尻側裏板の３枚の裏板１４が幅方向に間隔を存して配設されている。
【００１３】
室外側の表面材７と室内側の表面材８との間には、骨材１５，１６が設けてある。骨材１５，１６は、それらを表面材７，８間に設けることで扉体に強度を付与する。骨材１５，１６は、裏板１４と同様に、表面材７と略同じ高さ寸法を有する縦長部材である。骨材１５は隣位の裏板１４の近接する端部同士を架け渡すように跨設される中間骨材である。図３に拡大して示すように、骨材１５は、室内側見付面１５０と、室内側見付面１５０の両端部より見込方向に延出する左右の見込面１５１，１５１と、左右の見込面１５１，１５１の延出端部より互いに離隔するように見付方向に延出する左右の室外側見付面１５２，１５２とから断面視ハット型に形成されている。
【００１４】
骨材１５の見込面１５１の見込方向の寸法は表面材７に設けた裏板１４の内側面と表面材８の内側面との間隔より僅かに小さい寸法を有しており、骨材１５の室内側見付面１５０を室内側の表面材８の内側面に対向近接させ、骨材１５の室外側見付面１５２を室外側の表面材７の内側面に設けた裏板１４の内側面に対向近接させて、室内側見付面１５０と表面材８、室外側見付面１５２と裏板１４とを緩衝材として例示する両面テープ１７を介して接着する。両面テープ１７は接着部材であると同時に、室内側表面材８と室外側表面材７との間の音の伝播を低減する役割を有し、所望の厚みを有することが望ましい。
【００１５】
図示のものでは、３枚の裏板１４間に跨設するために２つの中間骨材１５が設けてあり、第１の中間骨材１５では、一方の室外側見付面１５２が戸先側裏板１４の戸尻側部位に両面テープ１７を介して接着され、他方の室外側見付面１５２が戸先側裏板１４の隣位の中間裏板１４の戸先側部位に両面テープ１７を介して接着される。一方、第２の中間骨材１５では、一方の室外側見付面１５２が中間裏板１４の戸尻側部位に両面テープ１７を介して接着され、他方の室外側見付面１５２が中間裏板１４の隣位の戸尻側裏板１４の戸先側部位に両面テープ１７を介して接着される。
【００１６】
骨材１６は、表面材７，８の幅方向端部において、表面材７の内側面に貼着した裏板１４と表面材８との間に設けられる端部骨材である。骨材１６は、室内側見付面１６０と、室内側見付面１６０の端部より見込方向に延出する見込面１６１と、見込面１６１の延出端部より室内側見付面１６０に対向して見付方向に延出する室外側見付面１６２とから断面視コ字型に形成されている。骨材１６の見込面１６１の見込方向の寸法は表面材７に設けた裏板１４の内側面と表面材８の内側面の間隔より僅かに小さい寸法を有しており、骨材１６の室内側見付面１６０を室内側の表面材８の内側面に対向近接させ、骨材１６の室外側見付面１６２を室外側の表面材７の内側面に設けた裏板１４の内側面に対向近接させて、室内側見付面１６０と表面材８、室外側見付面１６２と裏板１４とを緩衝材として例示する両面テープ１７を介して接合する。
【００１７】
図示のものでは、２つの端部骨材１６が設けてあり、第１の端部骨材１６では、その室外側見付面１６２が戸先側裏板１４の戸先側部位に両面テープ１７を介して接着される。一方、第２の中間骨材１６では、その室外側見付面１６２が戸尻側裏板１４の戸尻側部位に両面テープ１７を介して接着される。
【００１８】
室内側表面材８と室外側表面材７との間の空隙（骨材１５の対向状の見込面１５１，１５１間の空隙も含む）には吸音材１８が充填されている。実施例では、吸音材１８としてグラスウールが採用されている。断面視ハット型の骨材１５の室外側は開口状となっており、左右の対向状の見込面１５１，１５１と室内側見込面１５０とで囲繞される空隙に、室外側の開口部から吸音材１８が充填される。薄板の室外側表面材７において、隣位の裏板１４の近接する端部間の間隙と室内側表面材８との間の空間には、骨材１５の見込面１５１、室内側見付面１５０、及び吸音材１８が配設してあるので、裏板１４の端部間の間隙において、室外側表面材７から室内側表面材８への音の伝搬が抑制される。
【００１９】
このように構成された扉体は、室外側の表面材７を薄板から構成するものでありながら、複数の裏板１４を表面材７の内側面に貼着することによって遮音性能を高めている。さらに、各裏板１４間に骨材１５を跨設することで、裏板１４間に位置する薄板の表面材７を骨材１５が被う（囲繞）ことになり、裏板１４間に位置する薄板の表面材７の部分と室内側表面材８とが連通することを防止するので、より高い遮音性能を得ることができる。具体的に言うと、裏板１４間に位置する薄板の表面材７の部分と骨材１５の左右の見込面１５１，１５１と室内側見付面１５０とで囲まれた（囲繞）空間を形成し、かつ該空間内には吸音材１８が充填されるので、遮音性能が良好である。骨材１５は、厚みのある両面テープ１７を介して室外側表面材７（裏板１４を介して）、室内側表面材８に接合されているので、両面テープ１７が緩衝材として機能して、内外表面材７，８間の音の伝播を低減させる。しかも、扉体の室外側面部と室内側面部の板厚が異なるので（室外側表面材７と裏板１４で構成される室外側面部の厚みが０．６ｍｍ＋１．６ｍｍであるのに対して、室内側表面材８から構成される室内側面部の厚みが１．２ｍｍである）、コインシデンス効果による遮音性能の低下を抑制することもできる。
【００２０】
図４は扉体の他の実施例を示している。図２のものがいわゆる片面裏板仕様であるのに対して、図４のものはいわゆる両面裏板仕様である。図４において、室内側の表面材、室内側の裏板を除く構成は、実質的に図２のものと同様であり、共通する構成要素には同じ参照番号が付してあり、同じ参照番号が付された要素については既述の説明を援用することができる。
【００２１】
室内側の表面材８Aは、室外側の表面材７と同様に、薄板から構成されている。表面材８Aの内面側には、複数枚の裏板１４Aが貼着されている。各裏板１４Aは、表面材８Aと略同じ高さ寸法を有する幅狭の縦長板材であり、裏板１４と同様に、１．６ｍｍの厚みを有している。複数の裏板１４Aは、表面材８Aの幅方向に互いに間隔を存して配設されている。実施例のものでは、戸先側裏板、中間裏板、戸尻側裏板の３枚の裏板１４Aが幅方向に間隔を存して配設されている。
【００２２】
室外側の表面材７と室内側の表面材８Aとの間には、骨材１５，１６が設けてある。骨材１５，１６の基本的な構成は図２に示す実施例と同様であり、既述の記載を援用することができる。骨材１５の室内側見付面１５０の幅方向の寸法は、図２のものに比べて大きい寸法となっており、一つの骨材１５の室内側見付面１５０が、隣位の二つの裏板１４Aの近接する端部に対向している。骨材１５の幅広の室内側見付面１５０を隣位の二つの裏板１４Aの近接する端部に対向近接させて、室内側見付面１５０と裏板１４Aとを緩衝材として例示する両面テープ１７を介して接着する。
【００２３】
図示のものでは、３枚の裏板１４A間に跨設するための２つの中間骨材１５が設けてあり、第１の中間骨材１５では、室内側見付面１５０が、戸先側裏板１４Aの戸尻側部位及び中間裏板１４Aの戸先側端部位に両面テープ１７を介して接着される。一方、第２の中間骨材１５では、室内側見付面１５０が、中間裏板１４Aの戸尻側部位及び戸尻側裏板１４Aの戸先側端部位に両面テープ１７を介して接着される。中間骨材１５の室外側見付面１５２と裏板１４との接着態様については、図２、図３に係る説明を援用することができる。
【００２４】
図示の実施例では断面視ハット型の中間骨材１５について説明したが、中間骨材１５の形状は、断面視ハット型のものに限定されない。図５（A）乃至（D）は、他の形状を有する中間骨材１５Aを示す。図５（A）において、骨材１５Aは、室内側見付面１５０Aと、室内側見付面１５０Aの両端部より見込方向に延出する見込面１５１A，１５１Aと、見込面１５１A，１５１Aの延出端部より互いに近接するように見付方向に延出する室外側見付面１５２A，１５２Aとから形成されている。図５（B）において、骨材１５Aは、対向状の室内側見付面１５０Aと室外側見付面１５２Aと、左右の見込面１５１A，１５１Aとから断面視長方形状に形成されている。図５（C）において、骨材１５Aは、図５（A）の骨材の見込寸法を小さく形成すると共に、二つの骨材を一体化させることで形成されている。図５（D）において、骨材１５Aは、ハット型の骨材の見込寸法を小さく形成すると共に、二つの骨材を一体化させることで形成されている。図５の骨材１５Aにおいて、室内側見付面１５０Aは室内側見付面１５０に相当し、見込面１５１Aは見込面１５１に相当し、室外側見付面１５２Aは室外側見付面１５２に相当する。また、裏板として幅方向に３分割したものを示したが、裏板の数や、分割の態様は実施例のものに限定されず、例えば裏板を上下方向に分割し、隣位の裏板の近接する端部間に対して骨材を跨設させてもよい。
【産業上の利用可能性】
【００２５】
本発明に係る扉体は、防音性能が要求されるマンションドアに利用することができる。
【図面の簡単な説明】
【００２６】
【図１】室外側から見た扉体の正面図である。
【図２】片面裏板仕様に係る扉体の縦断面図及び横断面図である。
【図３】図２の横断面図の部分拡大図である。
【図４】両面裏板仕様に係る扉体の縦断面図及び横断面図である。
【図５】骨材の他の実施例を示す図である。
【符号の説明】
【００２７】
７  室外側表面材
８  室内側表面材
８A  室内側表面材
１４  裏板
１４A  裏板
１５  骨材
１５０  室内側見付面
１５１  見込面
１５２  室外側見付面
１６  骨材
１６０  室内側見付面
１６１  見込面
１６２  室外側見付面
１７  両面テープ
１８  吸音材
【図１】
2006097264.tif 000003
【図２】
2006097264.tif 000004
【図３】
2006097264.tif 000005
【図４】
2006097264.tif 000006
【図５】
2006097264.tif 000007